(57)【要約】      （修正有）【課題】断裁された各記録媒体の画像に対して同一方向に配置された断裁辺を同一方向に揃えて出力することが可能な画像形成装置を提供する。【解決手段】画像形成データ作成部は、画像形成ジョブの設定に基づいて、断裁後の記録媒体の断裁辺が、断裁後の記録媒体に形成された画像に対して一致した方向に配置されるように、断裁前の記録媒体Ｓｔの表面と裏面とに画像を面付けした画像形成データを作成するものであり、画像形成部１０４は、画像形成データに基づいて記録媒体の表面および裏面に画像を形成するものであり、反転処理部１０７は、断裁処理部により複数に断裁された記録媒体のうちの一部を表面と裏面とで反転させることにより、断裁後の記録媒体の断裁辺を揃える画像形成装置１００である。【選択図】図１
2020049654.tif 000002
【特許請求の範囲】
【請求項１】
シート状の記録媒体に画像を形成する画像形成部と、
前記画像形成部から搬送された記録媒体を複数の分割領域に断裁する断裁処理部と、
前記断裁処理部で断裁された記録媒体を反転させる機能を有する反転処理部と、
前記記録媒体に形成する画像を、前記分割領域毎に面付けした画像形成データを作成する画像形成データ作成部とを備え、
前記画像形成データ作成部は、画像形成ジョブの設定に基づいて、断裁後の記録媒体の断裁辺が、前記断裁後の記録媒体に形成された画像に対して一致した方向に配置されるように、前記断裁前の記録媒体の表面と裏面とに前記画像を面付けした画像形成データを作成するものであり、
前記画像形成部は、前記画像形成データに基づいて前記記録媒体の表面および裏面に画像を形成するものであり、
前記反転処理部は、前記断裁処理部により複数に断裁された記録媒体のうちの一部を表面と裏面とで反転させることにより、前記断裁後の記録媒体の断裁辺を揃えるものである
画像形成装置。
【請求項２】
前記断裁処理部は、前記記録媒体の搬送方向の中央において前記記録媒体を２つに断裁するものであり、
前記反転処理部は、前記断裁後の記録媒体を、その搬送方向に反転させるものである
請求項１に記載の画像形成装置。
【請求項３】
前記画像形成データ作成部は、画像に対する前記断裁辺の配置方向に応じて、前記断裁前の記録媒体の表面と裏面とに面付けする画像のレイアウトを入れ替えた画像形成データを作成するものであり、
前記反転処理部は、画像に対する前記断裁辺の配置方向に応じて、前記断裁後の記録媒体のうち反転する記録媒体を切り替えるものである
請求項１または２に記載の画像形成装置。
【請求項４】
前記記録媒体の搬送方向が、前記記録媒体に形成される画像の天地方向となる場合、
前記画像形成データ作成部は、画像に対する前記断裁辺の配置方向に応じて、前記断裁前の記録媒体の表面と裏面とに面付けする画像を９０度回転させて面付けした画像形成データを作成するものである
請求項１〜３の何れか１項に記載の画像形成装置。
【請求項５】
さらに、前記反転処理部から搬送された記録媒体を異なる排出先に分配して排出する機能を有する排出処理部を備え、
前記記録媒体に設定された複数の分割領域に同一の画像を形成する場合、
前記排出処理部は、前記断裁後の記録媒体を複数の排出先に分配して排出するものである
請求項１〜４の何れか１項に記載の画像形成装置。
【請求項６】
複数の前記記録媒体に設定された複数の分割領域に複数頁の画像を形成する場合、
前記画像形成データ作成部は、前記複数の記録媒体のうちの一部の記録媒体に対し、一方の面のみに画像を面付けした画像形成データを作成するものである
請求項１〜５の何れか１項に記載の画像形成装置。
【請求項７】
前記データ作成部は、前記複数の記録媒体のうちの最終部を構成する記録媒体以外の記録媒体に対する画像形成データとして、前記記録媒体の一方の面のみに互いに１８０度回転させた同一画像を面付けした画像形成データを作成するものである
請求項６に記載の画像形成装置。
【請求項８】
さらに、画像形成ジョブの設定を入力する操作部を備え、
前記画像形成データ作成部は、前記操作部において、前記記録媒体の一方の主面のみへの画像の形成を優先する設定が入力された場合に、前記複数の記録媒体のうちの一部の記録媒体に対し、前記一方の主面のみに画像を面付けした画像形成データを作成するものである
請求項６または７に記載の画像形成装置。
【請求項９】
シート状の記録媒体に画像を形成する画像形成部と、
前記画像形成部から搬送された記録媒体を複数の分割領域に断裁する断裁処理部と、
前記断裁処理部で断裁された記録媒体を反転させる機能を有する反転処理部と、
前記記録媒体に形成する画像を、前記分割領域毎に面付けした画像形成データを作成する画像形成データ作成部とを備えた画像形成装置の制御方法であって、
画像形成ジョブの設定に基づいて、断裁後の記録媒体の断裁辺が、前記断裁後の記録媒体に形成された画像に対して一致した方向に配置されるように、前記画像形成データ作成部において、前記断裁前の記録媒体の表面と裏面とに前記画像を面付けした画像形成データを作成するステップと、
前記画像形成データ作成部において作成した前記画像形成データに基づいて、前記画像形成部によって前記記録媒体の表面および裏面に画像を形成するステップと、
前記断裁処理部により複数に断裁された記録媒体のうちの一部を表面と裏面とで前記反転処理部によって反転させることにより、前記断裁後の記録媒体の断裁辺を揃えるステップとを有する
画像形成装置の制御方法。
【請求項１０】
シート状の記録媒体に画像を形成する画像形成部と、
前記画像形成部から搬送された記録媒体を複数の分割領域に断裁する断裁処理部と、
前記断裁処理部で断裁された記録媒体を反転させる機能を有する反転処理部と、
前記記録媒体に形成する画像を、前記分割領域毎に面付けした画像形成データを作成する画像形成データ作成部とを備えた画像形成装置を制御する制御部によって実行される画像形成装置の制御プログラムであって、
画像形成ジョブの設定に基づいて、断裁後の記録媒体の断裁辺が、前記断裁後の記録媒体に形成された画像に対して一致した方向に配置されるように、前記画像形成データ作成部において、前記断裁前の記録媒体の表面と裏面とに前記画像を面付けした画像形成データを作成するステップと、
前記画像形成データ作成部において作成した前記画像形成データに基づいて、前記画像形成部によって前記記録媒体の表面および裏面に画像を形成するステップと、
前記断裁処理部により複数に断裁された記録媒体のうちの一部を前記反転処理部によって表面と裏面とで反転させることにより、前記断裁後の記録媒体の断裁辺を揃えるステップとを前記制御部に実行させる
画像形成装置の制御プログラム。
【発明の詳細な説明】
【技術分野】
【０００１】
本発明は、画像形成装置、画像形成装置の制御方法、および画像形成装置の制御プログラムに関する。
【背景技術】
【０００２】
シート状の記録媒体に画像を印刷する画像形成装置の中には、１枚の記録媒体に設定した複数の分割領域に同一画像または異なる画像を印刷し、画像が印刷された記録媒体を分割領域毎に断裁して出力する機能を有するものがある。
【０００３】
このような機能を備えた画像形成装置に対しては、断裁して出力された全ての記録媒体において、印刷された画像に対して断裁辺の方向を同一方向とすることで、断裁された記録媒体の仕上がりを統一させることが求められる場合がある。
【０００４】
上記要望に対し、下記特許文献１には、１枚の用紙のなかに画像を並列的に割り当てて２部相当の印刷物を得る場合に、一方の部についての面付けを冊子の開き順序に従って行い、他方の部についての面付けを１８０度回転かつ逆順で設定することにより、綴じ方向と面付けの境界辺とを一致させる技術が開示されている。
【０００５】
また下記特許文献２には、同一の用紙に２×２以上の同一画像をレイアウトする際に、用紙の表面の特定の対角方向の２つの角領域に、互いに１８０度回転した画像を配置し、用紙の裏面の上記特定の対角方向の２つの角領域に、同様に互いに１８０度回転した画像を配置する制御を行うことにより、各部の断裁の仕上がりの統一性を高める技術が開示されている。
【０００６】
さらに下記特許文献３には、１枚の被記録媒体に集約配置される４ページ分のページ縮小画像を該ページ縮小画像単位で切断（断裁）したときの各該ページ縮小画像の切断辺が、切断後の該ページ縮小画像を同じ向きに重ね合わせたときに同じ側の辺となる該ページ縮小画像の前記記憶領域への配置位置及び向きを求めて、該ページ縮小画像の配置及び向き調整を行わせる技術が記載されている。
【先行技術文献】
【特許文献】
【０００７】
【特許文献１】特開２０１５−８８９７９号公報
【特許文献２】特開２０１６−１１２８２２号公報
【特許文献３】特開２０１６−１７８５１８号公報
【発明の概要】
【発明が解決しようとする課題】
【０００８】
しかしながら上述した各技術においては、断裁された各記録媒体の画像に対する断裁辺の方向が同一方向に統一されるものの、断裁して画像形成装置から排出された各記録媒体の切断方向を揃える作業は、装置外のオフライン作業として実施する必要があった。
【０００９】
そこで本発明は、断裁された各記録媒体の画像に対して同一方向に配置された断裁辺を同一方向に揃えて出力することが可能な画像形成装置、画像形成装置の制御方法、および画像形成装置の制御プログラムを提供することを目的とする。
【課題を解決するための手段】
【００１０】
このような目的を達成するための本発明は、シート状の記録媒体に画像を形成する画像形成部と、前記画像形成部から搬送された記録媒体を複数の分割領域に断裁する断裁処理部と、前記断裁処理部で断裁された記録媒体を反転させる機能を有する反転処理部と、前記記録媒体に形成する画像を、前記分割領域毎に面付けした画像形成データを作成する画像形成データ作成部とを備え、
前記画像形成データ作成部は、画像形成ジョブの設定に基づいて、断裁後の記録媒体の断裁辺が、前記断裁後の記録媒体に形成された画像に対して一致した方向に配置されるように、前記断裁前の記録媒体の表面と裏面とに前記画像を面付けした画像形成データを作成するものであり、前記画像形成部は、前記画像形成データに基づいて前記記録媒体の表面および裏面に画像を形成するものであり、前記反転処理部は、前記断裁処理部により複数に断裁された記録媒体のうちの一部を表面と裏面とで反転させることにより、前記断裁後の記録媒体の断裁辺を揃える画像形成装置である。また本発明は、このような画像形成装置の制御方法、および画像形成装置の制御プログラムである。
【発明の効果】
【００１１】
本発明によれば、断裁された各記録媒体に形成された画像に対して同一方向に配置された断裁辺を、同一方向に揃えて出力することが可能な画像形成装置、画像形成装置の制御方法、および画像形成装置の制御プログラムを提供することができる。
【図面の簡単な説明】
【００１２】
【図１】本発明の各実施形態に係る画像形成装置の全体構成を示す概略図である。
【図２】本発明の各実施形態の画像形成装置における制御部の構成を説明するためのブロック図である。
【図３】第１実施形態の画像形成装置の制御方法を示す工程図である。
【図４】第２実施形態の画像形成装置の制御方法を示す工程図である。
【図５】第３実施形態の画像形成装置の制御方法を示す工程図である。
【図６】第４実施形態の画像形成装置の制御方法を示すフローチャート（その１）である。
【図７】第４実施形態の画像形成装置の制御方法を示すフローチャート（その２）である。
【図８】第４実施形態の画像形成装置の制御方法を示すフローチャート（その３）である。
【図９】第５実施形態の画像形成装置の制御方法を示す工程図である。
【図１０】第６実施形態の画像形成装置の制御方法を示す工程図である。
【図１１】第７実施形態の画像形成装置の制御方法を示すフローチャートである。
【図１２】第７実施形態の画像形成装置の制御方法を示す工程図である。
【発明を実施するための形態】
【００１３】
以下、本発明を適用した各実施形態を図面に基づいて詳細に説明する。なお、各実施形態において共通する構成要素には同一の符号を付し、重複する説明の一部は省略する。
【００１４】
≪実施形態における画像形成装置の概略構成≫
図１は、各実施形態に係る画像形成装置１００を前面（正面）から見た構成図である。この図に示す画像形成装置１００は、１枚の記録媒体に設定した複数の分割領域のそれぞれに同一画像または異なる画像を印刷し、画像が印刷された記録媒体を分割領域毎に断裁して出力する機能を有する装置である。このような画像形成装置１００は、操作部１０１、画像データ入力部１０２、制御部１０３、画像形成部１０４、媒体供給部１０５、断裁処理部１０６、反転処理部１０７、排出処理部１０８を備えている。これらの各部材の構成は、次のようである。
【００１５】
＜操作部１０１＞
操作部１０１は、この画像形成装置１００を用いて実施される画像形成ジョブの条件設定を入力する部分であり、表示パネルおよび操作ボタンが設けられている。操作ボタンは表示パネルと一体に設けたタッチパネルであってもよい。操作部１０１による画像形成ジョブの設定とは、例えば、１枚の記録媒体を断裁して複数に分割する場合の分割数、記録媒体に形成された画像に対する断裁辺の配置方向などの画像形成ジョブの条件の設定、さらには画像形成ジョブの開始の指示などである。なお、このような操作部１０１は、画像形成装置１００に接続されたパーソナルコンピューターや他の外部装置であってもよい。
【００１６】
＜画像データ入力部１０２＞
画像データ入力部１０２は、例えば画像形成装置１００に接続されたパーソナルコンピューターや他の外部装置から受信した画像データを入力するためのものであり、入出力インターフェースであってよい。また、画像データ入力部１０２は、原稿台と原稿台に載置された原稿の画像を読み取る読み取り装置であってもよい。
【００１７】
＜制御部１０３＞
制御部１０３は、操作部１０１での操作、または画像形成装置１００に接続されたパーソナルコンピューターなどの外部装置からの受信信号にしたがって、画像形成装置１００の各部の動作を制御するものであり、計算機によって構成されている。計算機は、いわゆるコンピューターとして用いられるハードウェアである。計算機は、ＣＰＵ（Central rocessing Unit：中央処理装置）、ＲＯＭ（Read Only Memory）、ＲＡＭ（Random Access Memory）を備える。さらに、計算機は、不揮発性ストレージおよびネットワークインタフェースを備える。
【００１８】
この制御部１０３は、以降に説明する画像形成装置１００の制御方法において説明する特徴的な制御を実施するものである。この制御の手順は、画像形成装置１００の各部の動作を制御する制御プログラムとして、ＲＯＭまたは外部装置からＲＡＭにロードされて保存される。
【００１９】
図２は、本発明の各実施形態の画像形成装置１００における制御部１０３の構成を説明するためのブロック図である。この図に示すように、制御部１０３は、入出力制御部１０３ａ、画像形成データ作成部１０３ｂ、および記憶部１０３ｃを有する。
【００２０】
［入出力制御部１０３ａ］
入出力制御部１０３ａは、操作部１０１、画像データ入力部１０２などの画像形成装置１００を構成する各部と、画像形成データ作成部１０３ｂおよび記憶部１０３ｃとに接続されている。この入出力制御部１０３ａは、操作部１０１、画像データ入力部１０２、および外部装置からの入力、さらに制御部１０３に保存された制御プログラムに基づいて、画像形成部１０４、媒体供給部１０５、断裁処理部１０６、反転処理部１０７、および排出処理部１０８の駆動を制御する。このような入出力制御部１０３ａによる各部の駆動の制御は、以降に説明する画像形成装置の制御方法において詳細に説明する。
【００２１】
［画像形成データ作成部１０３ｂ］
画像形成データ作成部１０３ｂは、記憶部１０３ｃに保存された画像データに基づく各頁の画像を、操作部１０１または外部装置から入力された画像形成ジョブの設定に基づいて、記録媒体の表面および裏面に画像を面付けしてレイアウトした画像形成データを作成する。特にこの画像形成データ作成部１０３ｂは、断裁後の記録媒体の断裁辺が、断裁後の記録媒体に形成された画像に対して一致した方向に配置されるように、記録媒体の表面および裏面に画像を面付けした画像形成データを作成するプログラムを有する。このような画像形成データ作成部１０３ｂにおいて作成する画像形成データは、画像形成装置の制御方法において詳細に説明する。
【００２２】
［記憶部１０３ｃ］
記憶部１０３ｃは、制御部１０３を構成するＣＰＵが、画像形成装置１００の各部を制御するための制御プログラム、および画像データ入力部１０２から入力された画像データを記憶する。また記憶部１０３ｃは、操作部１０１や外部装置から入力された画像形成ジョブに関する情報、画像形成データ作成部１０３ｂが作成した画像形成データを記憶する。
【００２３】
＜画像形成部１０４＞
図１に戻り、画像形成部１０４は、制御部１０３からの指示にしたがって、シート状の記録媒体Ｓｔの主面上に、印刷によって画像を形成する部分である。一例として、この画像形成部１０４は、電子写真方式のものであって、トナー画像形成ユニット、中間転写ベルト、および定着部などを備え、記録媒体の一主面上にトナー画像を形成する。
【００２４】
＜媒体供給部１０５＞
媒体供給部１０５は、制御部１０３からの指示にしたがって、画像形成部１０４に記録媒体を供給する部分である。このような媒体供給部１０５は、大量の記録媒体Ｓｔを収容する媒体収容部１０５ａと、媒体収容部１０５ａに収容された記録媒体Ｓｔを１枚ずつ画像形成部１０４に供給する媒体供給路１０５ｂとを備える。また媒体供給部１０５は、画像形成部１０４で画像が印刷された記録媒体を次の断裁処理部１０６に搬送する媒体排出路１０５ｃを備える。
【００２５】
さらに、媒体供給部１０５は、画像形成部１０４で画像が印刷された記録媒体Ｓｔを搬送方向に対して裏表シート反転させ、再び画像形成部１０４に供給する媒体反転搬送路１０５ｄを備える。これにより、画像形成部１０４においては、媒体供給部の表面および裏面の２つの主面に対して画像を印刷することが可能である。
【００２６】
なお、媒体供給部１０５は、ここでの図示を省略した外部の媒体収容部から記録媒体Ｓｔを１枚ずつ画像形成部１０４に供給する第２媒体供給路１０５ｅを備えていてもよい。
【００２７】
＜断裁処理部１０６＞
断裁処理部１０６は、制御部１０３からの指示にしたがって、画像形成部１０４から搬送された記録媒体Ｓｔを複数の分割領域に断裁する。特にこの断裁処理部１０６は、制御部１０３からの指示にしたがって、記録媒体Ｓｔを搬送方向の中央において断裁するものであり、２枚に断裁した記録媒体Ｓｔを順次に反転処理部１０７に搬送する。このような断裁処理部１０６は、媒体供給部１０５の媒体排出路１０５ｃから連続する媒体搬送路１０６ａと、媒体搬送路１０６ａを挟んで配置された断裁機１０６ｂとを備える。
【００２８】
＜反転処理部１０７＞
反転処理部１０７は、制御部１０３からの指示にしたがって、断裁処理部１０６から搬送された記録媒体Ｓｔを、そのまま、または反転させて次の排出処理部１０８に搬送する。このような反転処理部１０７は、断裁処理部１０６から送り込まれた記録媒体Ｓｔを、そのまま排出処理部１０８に搬送する媒体搬送路１０７ａと、搬送方向に裏表でシート反転させて排出処理部１０８に搬送する反転搬送路１０７ｂを備える。反転搬送路１０７ｂは、記録媒体Ｓｔを、その搬送方向に反転させる構成のものである。より詳しくは、反転搬送路１０７ｂは、記録媒体Ｓｔの搬送方向と記録媒体Ｓｔの主面（表面または裏面）に対する法線方向とが成す面に沿って、記録媒体Ｓｔを反転させる構成のものである。
【００２９】
＜排出処理部１０８＞
排出処理部１０８は、制御部１０３からの指示にしたがって、反転処理部１０７から搬送された記録媒体Ｓｔを、必要に応じて分配して排出する部分である。このような排出処理部１０８は、反転処理部１０７から送り込まれた記録媒体Ｓｔを、第１トレー２００ａに排出する第１排出路１０８ａと、第２トレー２００ｂに排出する第２排出路１０８ｂとを備える。なお、排出処理部１０８は、反転処理部１０７から送り込まれた記録媒体Ｓｔを、３つ以上の異なるトレーに分配して排出する構成であってもよい。
【００３０】
≪画像形成装置の制御方法≫
次に、以上のような各部を備えた画像形成装置１００の制御方法を、各実施形態を説明する図と共に、先の図１および図２を参照して説明する。以降に説明する画像形成装置１００の制御方法は、操作部１０１から入力された設定と、画像データ入力部１０２から入力された画像データとに基づき、入出力制御部１０３ａを構成するＣＰＵが、ＲＯＭやＲＡＭに保存された画像形成装置の制御プログラムに基づいて、画像形成装置１００の各部の駆動を制御することにより実現される。
【００３１】
また以下に説明する各実施形態における画像形成装置１００の制御方法は、基本動作として、記録媒体Ｓｔの表面および裏面に画像を形成する手順と、画像が形成された記録媒体Ｓｔを断裁する手順と、複数に断裁された記録媒体Ｓｔのうちの一部のみを反転して排出する手順とを実施する。
【００３２】
なお、以降の説明においては、画像形成に際しての記録媒体Ｓｔの搬送方向が図面上の左方向であることとして説明を行う。したがって、以降の説明において、記録媒体Ｓｔの左半面とは、記録媒体Ｓｔにおける搬送方向の先端側の半面を意味する。また記録媒体Ｓｔの右半面とは、記録媒体Ｓｔにおける搬送方向の後端側の半面を意味する。
【００３３】
＜第１実施形態：基本動作１＞
−片面印刷物の作製制御−
図３は、第１実施形態における画像形成装置の制御方法を説明する工程図であり、画像形成装置の制御方法の基本動作１を示す工程図である。この図に示す制御方法は、１枚の記録媒体Ｓｔに２頁分の画像を印刷し、その後記録媒体Ｓｔを２つの分割領域に断裁して片面印刷の印刷物Ｐを作製するのに際し、画像に対する断裁辺Ｅのは一方向を右側または左側の一方に統一する場合の制御方法の一例である。ここでは、１枚の記録媒体Ｓｔに異なる２頁分の画像を集約して印刷する場合を説明するが、１枚の記録媒体Ｓｔに同一の画像をリピート印刷する場合であっても同様に実施することができる。
【００３４】
［断裁辺を右側辺とする場合］
図３の［Ａ］列には、記録媒体Ｓｔに印刷された画像の右側に断裁辺Ｅが配置された片面印刷の印刷物Ｐを得る場合の一例を示す。
【００３５】
この場合、先ず図３の［Ａ］列（１）に示すように、画像形成部１０４は、画像形成データ作成部１０３ｂで作成した画像形成データに基づいて、媒体供給部１０５から供給された記録媒体Ｓｔの一方の主面上の左半面に２頁目の画像を印刷する。
【００３６】
次に、図３の［Ａ］列（２）に示すように、媒体供給部１０５は、２頁目の画像が形成された記録媒体Ｓｔを、搬送方向に裏表シート反転させる。そして、シート反転させた記録媒体Ｓｔを、再度、画像形成部１０４に供給する。
【００３７】
次いで、図３の［Ａ］列（３）に示すように、画像形成部１０４は、画像形成データ作成部１０３ｂで作成した画像形成データに基づいて、記録媒体Ｓｔの他方の主面上の左半面に１頁目の画像を印刷する。また媒体供給部１０５は、両面に画像が印刷された記録媒体Ｓｔを断裁処理部１０６に搬送する。
【００３８】
その後、図３の［Ａ］列（４）に示すように、断裁処理部１０６は、画像形成部１０４から搬送された記録媒体Ｓｔを、搬送方向の中央において２枚の記録媒体Ｓｔ-1，Ｓｔ-2に断裁する。また断裁した記録媒体Ｓｔ-1，Ｓｔ-2を、順に反転処理部１０７に搬送する。
【００３９】
次いで、図３の［Ａ］列（５）に示すように、反転処理部１０７は、２枚に断裁された記録媒体Ｓｔ-1，Ｓｔ-2のうち、搬送方向の１枚目（先端側）に位置する記録媒体Ｓｔ-1を、搬送方向に裏表シート反転させて排出処理部１０８に搬送し、排出処理部１０８から排出する。
【００４０】
続けて図３の［Ａ］列（６）に示すように、反転処理部１０７は、搬送方向の２枚目（後端側）に位置する記録媒体Ｓｔ-2を、そのまま排出処理部１０８に搬送し、１枚目の記録媒体Ｓｔ-1上に排出する。
【００４１】
以上により、画像に対する右側辺を断裁辺Ｅとした記録媒体Ｓｔ-1，Ｓｔ-2が、画像形成面および断裁辺Ｅを同一方向に向けた状態で頁順に重ねられた片面印刷の印刷物Ｐを得ることができる。
【００４２】
［断裁辺を左側辺とする場合］
図３の［Ｂ］列には、記録媒体Ｓｔに印刷された画像の左側に断裁辺Ｅが配置された片面印刷の印刷物Ｐを得る場合の一例を示す。
【００４３】
この場合、先ず図３の［Ｂ］列（１）に示すように、画像形成部１０４は、画像形成データ作成部１０３ｂで作成した画像形成データに基づいて、媒体供給部１０５から供給された記録媒体Ｓｔの一方の主面上の右半面に１頁目の画像を印刷する。
【００４４】
次に、図３の［Ｂ］列（２）に示すように、媒体供給部１０５は、１頁目の画像が形成された記録媒体Ｓｔを、搬送方向に裏表シート反転させる。そして、シート反転させた記録媒体Ｓｔを、再度、画像形成部１０４に供給する。
【００４５】
次いで、図３の［Ｂ］列（３）に示すように、画像形成部１０４は、画像形成データ作成部１０３ｂで作成した画像形成データに基づいて、記録媒体Ｓｔの他方の主面上の右半面に２頁目の画像を印刷する。また媒体供給部１０５は、両面に画像が印刷された記録媒体Ｓｔを断裁処理部１０６に搬送する。
【００４６】
その後、図３の［Ｂ］列（４）に示すように、断裁処理部１０６は、媒体供給部１０５によって画像形成部１０４から搬送された記録媒体Ｓｔを、搬送方向の中央において２枚の記録媒体Ｓｔ-1，Ｓｔ-2に断裁する。また断裁した記録媒体Ｓｔ-１，Ｓｔ-2を、順に反転処理部１０７に搬送する。
【００４７】
次いで、図３の［Ｂ］列（５）に示すように、反転処理部１０７は、２枚に断裁された記録媒体Ｓｔ-1，Ｓｔ-2のうち、搬送方向の１枚目（先端側）に位置する記録媒体Ｓｔ-1を、そのまま排出処理部１０８に搬送し、排出処理部１０８から排出する。
【００４８】
続けて、図３の［Ｂ］列（６）に示すように、反転処理部１０７は、搬送方向の２枚目（後端側）に位置する記録媒体Ｓｔ-2を、搬送方向に裏表シート反転させて排出処理部１０８に搬送し、１枚目の記録媒体Ｓｔ-1上に排出する。
【００４９】
以上により、画像に対する左側辺を断裁辺Ｅとした記録媒体Ｓｔ-1，Ｓｔ-2が、画像形成面および断裁辺Ｅを同一方向に向けた状態で頁順に重ねられた片面印刷の印刷物Ｐを得ることができる。
【００５０】
以上の基本動作１においては、断裁前の記録媒体Ｓｔの表裏の各主面に対する画像のレイアウトの入れ替えと、断裁後の記録媒体Ｓｔ-1，Ｓｔ-2のどちらを反転排出するかの切り替えにより、断裁辺Ｅを画像に対する右側または左側とすることができる。
【００５１】
＜第２実施形態：基本動作２＞
−両面印刷物の作製制御−
図４は、第２実施形態における画像形成装置の制御方法を説明する工程図であり、画像形成装置の制御方法の基本動作２を示す工程図である。この図に示す制御方法は、１枚の記録媒体Ｓｔの両面に４頁分の画像を集約して印刷し、その後記録媒体Ｓｔを２つの分割領域に断裁して両面印刷の印刷物Ｐを作製するのに際し、１頁目の画像に対する断裁辺Ｅの配置方向を右側または左側の一方に統一する場合の制御方法の一例である。ここでは、１枚の記録媒体Ｓｔに異なる頁分の画像を集約して印刷する場合を説明するが、１枚の記録媒体Ｓｔの一面側に同一の画像をリピートして印刷する場合であっても同様に実施することができる。
【００５２】
［断裁辺を右側辺とする場合］
図４の［Ａ］列には、記録媒体Ｓｔに第１頁目として印刷された画像の右側に断裁辺Ｅが配置された両面印刷の印刷物Ｐを得る場合の一例を示す。
【００５３】
この場合、先ず、図４の［Ａ］列（１）に示すように、画像形成部１０４は、画像形成データ作成部１０３ｂで作成した画像形成データに基づいて、媒体供給部１０５から供給された記録媒体Ｓｔの一方の主面上の左半面に３頁目の画像を印刷し、右半面に２頁目の画像を印刷する。
【００５４】
次に、図４の［Ａ］列（２）に示すように、媒体供給部１０５は、一方の主面上に画像が形成された記録媒体Ｓｔを搬送方向に裏表シート反転させる。そして、シート反転させた記録媒体Ｓｔを、再度、画像形成部１０４に供給する。
【００５５】
次いで、図４の［Ａ］列（３）に示すように、画像形成部１０４は、画像形成データ作成部１０３ｂで作成した画像形成データに基づいて、記録媒体Ｓｔの他方の主面上の左半面に１頁目の画像を印刷し、右半面に４頁目の画像を印刷する。また媒体供給部１０５は、両面に画像が印刷された記録媒体Ｓｔを断裁処理部１０６に搬送する。
【００５６】
その後、図４の［Ａ］列（４）に示すように、断裁処理部１０６は、画像形成部１０４から搬送された記録媒体Ｓｔを、搬送方向の中央において２枚の記録媒体Ｓｔ-1，Ｓｔ-2に断裁する。また断裁した記録媒体Ｓｔ-1，Ｓｔ-2を、順に反転処理部１０７に搬送する。
【００５７】
次いで図４の［Ａ］列（５）に示すように、反転処理部１０７は、２枚に断裁された記録媒体Ｓｔ-1，Ｓｔ-2のうち、搬送方向の１枚目（先端側）に位置する記録媒体Ｓｔ-1を、搬送方向に裏表シート反転させて排出処理部１０８に搬送し、排出処理部１０８から排出する。
【００５８】
続けて図４の［Ａ］列（６）に示すように、反転処理部１０７は、搬送方向の２枚目（後端側）に位置する記録媒体Ｓｔ-2を、そのまま排出処理部１０８に搬送し、１枚目の記録媒体Ｓｔ-1上に排出する。
【００５９】
以上により、第１頁目の画像に対する右側辺を断裁辺Ｅとした記録媒体Ｓｔ-1，Ｓｔ-2が、断裁辺Ｅを同一方向に向けた状態で頁順に重ねられた両面印刷の印刷物Ｐを得ることができる。
【００６０】
［断裁辺を左側辺とする場合］
図４の［Ｂ］列には、記録媒体Ｓｔに第１頁目として印刷された画像の左側に断裁辺Ｅが配置された両面印刷の印刷物Ｐを得る場合の一例を示す。
【００６１】
この場合、先ず図４の［Ｂ］列（１）に示すように、画像形成部１０４は、画像形成データ作成部１０３ｂで作成した画像形成データに基づいて、記録媒体Ｓｔの一方の主面上の右半面に１頁目の画像を印刷し、左半面に４頁目の画像を印刷する。
【００６２】
次に、図４の［Ｂ］列（２）に示すように、媒体供給部１０５は、一方の主面上に画像が形成された記録媒体Ｓｔを搬送方向に裏表シート反転させる。そして、シート反転させた記録媒体Ｓｔを、再度、画像形成部１０４に供給する。
【００６３】
次いで、図４の［Ｂ］列（３）に示すように、画像形成部１０４は、画像形成データ作成部１０３ｂで作成した画像形成データに基づいて、記録媒体Ｓｔの他方の主面上の右半面に３頁目の画像を印刷し、左半面に２頁目の画像を印刷する。また媒体供給部１０５は、両面に画像が印刷された記録媒体Ｓｔを断裁処理部１０６に搬送する。
【００６４】
その後、図４の［Ｂ］列（４）に示すように、断裁処理部１０６は、画像形成部１０４から搬送された記録媒体Ｓｔを、搬送方向の中央において２枚の記録媒体Ｓｔ-1，Ｓｔ-2に断裁する。また断裁した記録媒体Ｓｔ-1，Ｓｔ-2を、順に反転処理部１０７に搬送する。
【００６５】
次いで、図４の［Ｂ］列（５）に示すように、反転処理部１０７は、２枚に断裁された記録媒体Ｓｔ-1，Ｓｔ-2のうち、搬送方向の１枚目（先端側）に位置する記録媒体Ｓｔ-1を、そのまま排出処理部１０８に搬送し、排出処理部１０８から排出する。
【００６６】
続けて、図４の［Ｂ］列（６）に示すように、反転処理部１０７は、搬送方向の２枚目（後端側）に位置する記録媒体Ｓｔ-2を、搬送方向に裏表シート反転させて排出処理部１０８に搬送し、１枚目の記録媒体Ｓｔ-1上に排出する。
【００６７】
以上により、第１頁目の画像に対する左側辺を断裁辺Ｅとした記録媒体Ｓｔ-1，Ｓｔ-2が、断裁辺Ｅを同一方向に向けた状態で頁順に重ねられた両面印刷の印刷物Ｐを得ることができる。
【００６８】
以上の基本動作２においては、断裁前の記録媒体Ｓｔの表裏の各主面に対する画像のレイアウトの入れ替えと、断裁後の記録媒体Ｓｔ-1，Ｓｔ-2のどちらを反転排出するかの切り替えにより、断裁辺Ｅを第１頁目の画像に対する右側または左側とすることができる。
【００６９】
＜第３実施形態：基本動作３＞
−ランドスケープ印刷物の作製制御−
図５は、第３実施形態における画像形成装置の制御方法を説明する工程図であり、画像形成装置の制御方法の基本動作３を示す工程図である。この図に示す制御方法は、１枚の記録媒体Ｓｔに２頁分の画像を集約して印刷し、その後記録媒体Ｓｔを２つの領域に断裁して片面印刷の印刷物Ｐを作製するのに際し、画像に対する断裁辺Ｅの配置方向を下側または上側の一方に統一する場合の制御方法の一例である。この場合、記録媒体Ｓｔの搬送方向が、記録媒体Ｓｔに形成される画像の天地方向となる。ここでは、１枚の記録媒体Ｓｔに異なる２頁分の画像を集約して印刷する場合を説明するが、１枚の記録媒体Ｓｔに同一の画像をリピート印刷する場合であっても同様に実施することができる。
【００７０】
［断裁辺を下側辺とする場合］
図５の［Ａ］列には、記録媒体Ｓｔに印刷された画像の下側に断裁辺Ｅが配置された片面印刷の印刷物Ｐを得る場合の一例を示す。
【００７１】
この場合、先ず図５の［Ａ］列（１）に示すように、画像形成部１０４は、画像形成データ作成部１０３ｂで作成した画像形成データに基づいて、記録媒体Ｓｔの一方の主面上の左半面に２頁目の画像を左に９０度回転させて印刷する。
【００７２】
次に、図５の［Ａ］列（２）に示すように、媒体供給部１０５は、一方の主面上に画像が形成された記録媒体Ｓｔを、記録媒体Ｓｔの搬送方向に裏表シート反転させる。そして、シート反転させた記録媒体Ｓｔを、再度、画像形成部１０４に供給する。
【００７３】
次いで、図５の［Ａ］列（３）に示すように、画像形成部１０４は、画像形成データ作成部１０３ｂで作成した画像形成データに基づいて、記録媒体Ｓｔの他方の主面上の左半面に１頁目の画像を左に９０度回転させて印刷する。また媒体供給部１０５は、両面に画像が印刷された記録媒体Ｓｔを断裁処理部１０６に搬送する。
【００７４】
その後、図５の［Ａ］列（４）に示すように、断裁処理部１０６は、画像形成部１０４から搬送された記録媒体Ｓｔを、搬送方向の中央において２枚の記録媒体Ｓｔ-1，Ｓｔ-2に断裁する。また断裁した記録媒体Ｓｔ-1，Ｓｔ-2を、順に反転処理部１０７に搬送する。
【００７５】
次いで図５の［Ａ］列（５）に示すように、反転処理部１０７は、２枚に断裁された記録媒体Ｓｔ-1，Ｓｔ-2のうち、搬送方向の１枚目（先端側）に位置する記録媒体Ｓｔ-1を、搬送方向に裏表シート反転させて排出処理部１０８に搬送し、排出処理部１０８から排出する。
【００７６】
続けて、図５の［Ａ］列（６）に示すように、反転処理部１０７は、搬送方向の２枚目（後端側）に位置する記録媒体Ｓｔ-2を、そのまま排出処理部１０８に搬送し、１枚目の記録媒体Ｓｔ-1上に排出する。
【００７７】
以上により、画像に対する下側辺を断裁辺Ｅとした記録媒体Ｓｔ-1，Ｓｔ-2が、画像形成面および断裁辺Ｅを同一方向に向けた状態で頁順に重ねられた片面印刷の印刷物Ｐを得ることができる。
【００７８】
［断裁辺を上側辺とする場合］
図５の［Ｂ］列には、記録媒体Ｓｔに印刷された画像の上側に断裁辺Ｅが配置された片面印刷の印刷物Ｐを得る場合の一例を示す。
【００７９】
この場合、先ず図５［Ｂ］列（１）に示すように、画像形成部１０４は、画像形成データ作成部１０３ｂで作成した画像形成データに基づいて、記録媒体Ｓｔの一方の主面上の右半面に１頁目の画像を左に９０度回転させて印刷する。
【００８０】
次に、図５の［Ｂ］列（２）に示すように、媒体供給部１０５は、一方の主面上に画像が形成された記録媒体Ｓｔを、記録媒体Ｓｔの搬送方向に裏表シート反転させる。そして、シート反転させた記録媒体Ｓｔを再度、画像形成部１０４に供給する。
【００８１】
次いで図５の［Ｂ］列（３）に示すように、画像形成部１０４は、画像形成データ作成部１０３ｂで作成した画像形成データに基づいて、記録媒体Ｓｔの他方の主面上の右半面に２頁目の画像を左に９０度回転させて印刷する。また媒体供給部１０５は、両面に画像が印刷された記録媒体Ｓｔを断裁処理部１０６に搬送する。
【００８２】
その後、図５の［Ｂ］列（４）に示すように、断裁処理部１０６は、画像形成部１０４から搬送された記録媒体Ｓｔを、搬送方向の中央において２枚の記録媒体Ｓｔ-1，Ｓｔ-2に断裁する。また断裁した記録媒体Ｓｔ-1，Ｓｔ-2を、順に反転処理部１０７に搬送する。
【００８３】
次いで図５の［Ｂ］列（５）に示すように、反転処理部１０７は、２枚に断裁した記録媒体Ｓｔ-1，Ｓｔ-2のうち、搬送方向の１枚目（先端側）に位置する記録媒体Ｓｔ-1を、そのまま排出処理部１０８に搬送し、排出処理部１０８から排出する。
【００８４】
続けて、図５の［Ｂ］列（６）に示すように、反転処理部１０７は、搬送方向の２枚目（後端側）に位置する記録媒体Ｓｔ-2を、搬送方向に裏表シート反転させて排出処理部１０８に搬送し、１枚目の記録媒体Ｓｔ-1上に排出する。
【００８５】
これにより、画像に対する上側辺を断裁辺Ｅとした記録媒体Ｓｔ-1，Ｓｔ-2が、画像形成面および断裁辺Ｅを同一方向に向けた状態で頁順に重ねられた片面印刷の印刷物Ｐを得ることができる。
【００８６】
以上の基本動作３においては、断裁前の記録媒体Ｓｔの表裏の各主面に対する画像のレイアウトの入れ替えと、断裁後の記録媒体Ｓｔ-1，Ｓｔ-2のどちらを反転排出するかの切り替えにより、断裁辺Ｅを画像に対する右側または左側とすることができる。また、画像の回転方向は右に９０度であってもよく、レイアウトおよび反転排出の切り替えは、画像の回転方向によって適切な方向が選択される。
【００８７】
＜第４実施形態＞
図６〜図８は、第１実施形態の画像形成装置の制御方法を示すフローチャート（その１）〜（その３）である。これらの図に示す制御方法は、先に説明した第１実施形態および第２実施形態の基本動作１，２を適用して、複数頁の印刷物Ｐを、設定された所定部数だけ印刷する場合の制御方法である。以下、図６〜図８のフローチャートに示す順に、先の図１〜図４を参照しつつ、第４実施形態の制御方法を説明する。
【００８８】
［ステップＳ１］
先ず図６のステップＳ１において、入出力制御部１０３ａは、画像形成装置１００に対して操作部１０１または外部装置から画像形成ジョブが入力された場合に、画像形成ジョブの設定の中に記録媒体Ｓｔを断裁する設定が有るか否かを判断する。ここで判断する記録媒体Ｓｔの断裁の設定は、例えば長手方向に搬送する記録媒体Ｓｔを、搬送方向の中央において２つの領域に断裁する設定であることとする。
【００８９】
入出力制御部１０３ａは、このような設定の画像形成ジョブの入力がなされた場合に、断裁設定有り（ＹＥＳ）と判断して次のステップＳ２に進む。それ以外の場合にはステップＳ１に戻り、断裁設定有り（ＹＥＳ）と判断されるまで待機する。
【００９０】
［ステップＳ２］
ステップＳ２において、画像形成データ作成部１０３ｂは、操作部１０１または外部装置から入力された画像形成ジョブの条件設定に基づいて、先の基本動作１〜３で説明したように、記録媒体を中央で断裁した２つの領域の表面および裏面に画像を面付けしてレイアウトした画像形成データを作成する。
【００９１】
［ステップＳ３］
ステップＳ３おいて、入出力制御部１０３ａは、媒体供給部１０５に対して画像形成部１０４への記録媒体Ｓｔの供給を指示する。これにより、媒体供給部１０５は、画像形成部１０４への記録媒体の供給を開始する。
【００９２】
［ステップＳ４］
ステップＳ４において、入出力制御部１０３ａは、この画像形成ジョブにおいて印刷する記録媒体のシート数［Ｎ］を［Ｎ］＝１とする処理を行う。
【００９３】
［ステップＳ５］
ステップＳ５において、入出力制御部１０３ａは、操作部１０１から入力された画像形成ジョブの設定が、片面印刷物の作製ジョブであるか否かを判断する。ここで片面印刷物とは、画像形成装置１００から出力される印刷物が片面印刷のものであることを意味する。入出力制御部１０３ａは、片面印刷物である（ＹＥＳ）と判断した場合には、次のステップＳ１００（図７）に進み、片面印刷物の作製制御を実施する。一方、入出力制御部１０３ａは、片面印刷物ではない（ＮＯ）と判断した場合には、次のステップＳ２００（図８）に進み、両面印刷物の作製制御を実施する。
【００９４】
［ステップＳ１００］
先ず図７のステップＳ１００において、入出力制御部１０３ａは、操作部１０１から入力された画像形成ジョブの設定において、断裁辺が右に設定されているか否かを判断する。断裁辺が右に設定されている（ＹＥＳ）と判断した場合には、ステップＳ１０１Ｒに進み、画像に対する右側辺を断裁辺とした片面印刷の印刷物を得るための制御を実施する。一方、断裁辺が右に設定されていない（ＮＯ）と判断した場合には、ステップＳ１０１Ｌに進み、画像に対する左側辺を断裁辺とした片面印刷の印刷物を得るための制御を実施する。
【００９５】
［ステップＳ１０１Ｒ〜ステップＳ１０６Ｒ］
ステップＳ１０１Ｒ〜ステップＳ１０６Ｒにおいては、先に図３の［Ａ］列に示した基本動作１を実施し、画像に対する右側辺を断裁辺Ｅとした片面印刷の記録媒体を得るための制御を実施する。
【００９６】
すなわちステップＳ１０１Ｒにおいて、画像形成部１０４は、記録媒体Ｓｔの左半面に２Ｎ頁目の画像を印刷する（図３の［Ａ］列（１））。次にステップＳ１０２Ｒにおいて、媒体供給部１０５は、記録媒体Ｓｔを搬送方向に裏表シート反転させる（図３の［Ａ］列（２））。次いでステップＳ１０３Ｒにおいて、画像形成部１０４は、記録媒体Ｓｔの左半面に２Ｎ−１頁目の画像を印刷する（図３の［Ａ］列（３））。
【００９７】
その後ステップＳ１０４Ｒにおいて、断裁処理部１０６は、記録媒体Ｓｔを搬送方向の中央において２枚の記録媒体Ｓｔ-1，Ｓｔ-2に断裁する（図３の［Ａ］列（４））。次いでステップＳ１０５Ｒにおいて、反転処理部１０７は、断裁した１枚目の記録媒体Ｓｔ-1を、搬送方向に裏表シート反転させ、排出処理部１０８から排出する（図３の［Ａ］列（５））。続けてステップＳ１０６Ｒにおいて、反転処理部１０７は、搬送方向の２枚目の記録媒体Ｓｔ-2を、そのまま排出処理部１０８に搬送して１枚目の記録媒体Ｓｔ-1上に排出する（図３の［Ａ］列（６））。
【００９８】
［ステップＳ１０７Ｒ］
その後、ステップＳ１０７Ｒにおいて、入出力制御部１０３ａは、先のステップＳ１０１Ｒ〜ステップＳ１０６Ｒの処理が、部の最終シートに対する処理であるか否かを判断する。ここでは、先のステップＳ１０１Ｒ〜ステップＳ１０６Ｒの処理が、部の最終頁を作製するための処理を含む場合に、最終シートである（ＹＥＳ）と判断してステップＳ１０８Ｒに進む。一方、部の最終頁を作製するための処理を含まない場合には、部の最終シートではない（ＮＯ）と判断してステップＳ１０８Ｒ’に進む。
【００９９】
［ステップＳ１０８Ｒ’］
ステップＳ１０８Ｒ’において、入出力制御部１０３ａは、シート数［Ｎ］＝Ｎ＋１の処理を実施し、先のステップＳ１０１Ｒに戻り、以降を繰り返す。
【０１００】
［ステップＳ１０８Ｒ］
一方、ステップＳ１０８Ｒにおいて、入出力制御部１０３ａは、先のステップＳ１０１Ｒ〜ステップＳ１０６Ｒの処理が、設定された所定部数の中の最終部の処理であるか否かを判断する。この際入出力制御部１０３ａは、現在の部数が、操作部１０１から入力された画像形成ジョブで設定された所定部数に達している場合には、最終部である（ＹＥＳ）と判断して処理を終了させる。一方、所定部数に達していない場合には、最終部ではない（ＮＯ）と判断してステップＳ１０９Ｒに進む。
【０１０１】
［ステップＳ１０９Ｒ］
ステップＳ１０９Ｒにおいて、入出力制御部１０３ａは、シート数［Ｎ］＝１とする処理を実施し、先のステップＳ１０１Ｒに戻って以降を繰り返す。
【０１０２】
［ステップＳ１０１Ｌ〜ステップＳ１０６Ｌ］
一方、ステップＳ１００において断裁辺が右に設定されていない（ＮＯ）と判断した場合には、ステップＳ１０１Ｌに進み、画像に対する左側辺を断裁辺とした片面印刷の印刷物を得るための制御を実施する。
【０１０３】
ステップＳ１０１Ｌ〜ステップＳ１０６Ｌにおいては、先に図３の［Ｂ］列（１）〜（６）に示した基本動作１を実施し、画像に対する左側辺を断裁辺とした片面印刷の記録媒体を得るための制御を実施する。
【０１０４】
すなわちステップＳ１０１Ｌにおいて、画像形成部１０４は、記録媒体Ｓｔの右半面に２Ｎ−１頁目の画像を印刷する（図３の［Ｂ］列（１））。次にステップＳ１０２Ｌにおいて、媒体供給部１０５は、記録媒体Ｓｔを搬送方向に裏表シート反転させる（図３の［Ｂ］列（２））。次いでステップＳ１０３Ｌにおいて、画像形成部１０４は、記録媒体Ｓｔの右半面に２Ｎ頁目の画像を印刷する（図３の［Ｂ］列（３））。
【０１０５】
その後ステップＳ１０４Ｌにおいて、断裁処理部１０６は、記録媒体Ｓｔを搬送方向の中央において２枚の記録媒体Ｓｔ-1，Ｓｔ-2に断裁する（図３の［Ｂ］列（４））。次いでステップＳ１０５Ｌにおいて、反転処理部１０７は、断裁した１枚目の記録媒体Ｓｔ-1を、そのまま排出処理部１０８に搬送して排出する（図３の［Ｂ］列（５））。続けてステップＳ１０６Ｌにおいて、反転処理部１０７は、２枚目の記録媒体Ｓｔ-2を、搬送方向に裏表シート反転させ、１枚目の記録媒体Ｓｔ-1上に排出処理部１０８から排出する（図３の［Ｂ］列（６））。
【０１０６】
［ステップＳ１０７Ｌ〜ステップＳ１０９Ｌ］
また以降のステップＳ１０７Ｌ〜ステップＳ１０９Ｌは、先のステップＳ１０７Ｒ〜ステップＳ１０９Ｒで実施した処理と同様の処理を実施する。
【０１０７】
［ステップＳ２００］
一方、図８のステップＳ２００、すなわち先のステップＳ５（図６参照）において片面印刷物ではない（ＮＯ）と判断して進んだステップＳ２００において、入出力制御部１０３ａは、操作部１０１から入力された画像形成ジョブの設定において、断裁辺が右に設定されているか否かを判断する。断裁辺が右に設定されている（ＹＥＳ）と判断した場合には、ステップＳ２０１Ｒに進み、画像に対する右側辺を断裁辺とした両面印刷の印刷物を得るための制御を実施する。一方、断裁辺が右に設定されていない（ＮＯ）と判断した場合には、ステップＳ２０１Ｌに進み、画像に対する左側辺を断裁辺とした両面印刷の印刷物を得るための制御を実施する。なお、ここで設定される断裁辺は、第１頁目に印刷された画像に対する断裁辺の位置である。
【０１０８】
［ステップＳ２０１Ｒ〜ステップＳ２０６Ｒ］
ステップＳ２０１Ｒ〜ステップＳ２０６Ｒにおいては、先に図４の［Ａ］列に示した基本動作２を実施し、第１頁目に印刷された画像に対する右側辺を断裁辺とした両面印刷の記録媒体を得るための制御を実施する。
【０１０９】
すなわちステップＳ２０１Ｒにおいて、画像形成部１０４は、記録媒体Ｓｔの左半面に４Ｎ−１頁目の画像を印刷し、右半面に２Ｎ−２頁目の画像を印刷する（図４の［Ａ］列（１））。次にステップＳ２０２Ｒにおいて、媒体供給部１０５は、記録媒体Ｓｔを搬送方向に裏表シート反転させる（図４の［Ａ］列（２））。次いで、ステップＳ２０３Ｒにおいて、画像形成部１０４は、記録媒体Ｓｔの左半面に４Ｎ−３頁目の画像を印刷し、右半面に４Ｎ頁目の画像を印刷する（図４の［Ａ］列（３））。
【０１１０】
その後ステップＳ２０４Ｒにおいて、断裁処理部１０６は、記録媒体Ｓｔを搬送方向の中央において２枚の記録媒体Ｓｔ-1，Ｓｔ-2に断裁する（図４の［Ａ］列（４））。次いでステップＳ２０５Ｒにおいて、反転処理部１０７は、断裁した１枚目の記録媒体Ｓｔ-1を、搬送方向に裏表シート反転させ、排出処理部１０８から排出する（図４の［Ａ］列（５））。続けてステップＳ２０６Ｒにおいて、反転処理部１０７は、搬送方向の２枚目の記録媒体Ｓｔ-2を、そのまま排出処理部１０８に搬送して１枚目の記録媒体Ｓｔ-1上に排出する（図４［Ａ］列（６））。
【０１１１】
［ステップＳ２０７Ｒ〜ステップＳ２０９Ｒ］
また以降のステップＳ２０７Ｒ〜ステップＳ２０９Ｒは、先のステップＳ１０７Ｒ〜ステップＳ１０９Ｒで実施した処理と同様の処理を実施する。
【０１１２】
［ステップＳ２０１Ｌ〜ステップＳ２０６Ｌ］
一方、ステップＳ２００において断裁辺が右に設定されていない（ＮＯ）と判断した場合には、ステップＳ２０１Ｌに進み、第１頁目に印刷された画像に対する左側辺を断裁辺とした両面印刷の印刷物を得るための制御を実施する。
【０１１３】
ステップＳ２０１Ｌ〜ステップＳ２０６Ｌにおいては、先に図４の［Ｂ］列に示した基本動作２を実施し、第１頁目に印刷された画像に対する左側辺を断裁辺とした両面印刷の記録媒体を得るための制御を実施する。
【０１１４】
すなわちステップＳ２０１Ｌにおいて、画像形成部１０４は、記録媒体Ｓｔの左半面に４Ｎ頁目の画像を印刷し、右半面に２Ｎ−３頁目の画像を印刷する（図４の［Ｂ］列（１））。次にステップＳ２０２Ｌにおいて、媒体供給部１０５は、記録媒体Ｓｔを搬送方向に裏表シート反転させる（図４の［Ｂ］列（２））。次いで、ステップＳ２０３Ｌにおいて、画像形成部１０４は、記録媒体Ｓｔの左半面に４Ｎ−２頁目の画像を印刷し、右半面に４Ｎ−１頁目の画像を印刷する（図４の［Ｂ］列（３））。
【０１１５】
その後ステップＳ２０４Ｌにおいて、断裁処理部１０６は、記録媒体Ｓｔを搬送方向の中央において２枚の記録媒体Ｓｔ-1，Ｓｔ-2に断裁する（図４の［Ｂ］列（４））。次いでステップＳ２０５Ｌにおいて、反転処理部１０７は、断裁した１枚目の記録媒体Ｓｔ-1を、そのまま排出処理部１０８に送付して排出する（図４の［Ｂ］列（５））。続けてステップＳ２０６Ｌにおいて、反転処理部１０７は、２枚目の記録媒体Ｓｔ-2を、搬送方向に裏表シート反転させ、１枚目の記録媒体Ｓｔ-1上に排出処理部１０８から排出する（図４［Ｂ］列（６））。
【０１１６】
［ステップＳ２０７Ｌ〜ステップＳ２０９Ｌ］
また以降のステップＳ２０７Ｌ〜ステップＳ２０９Ｌは、先のステップＳ１０７Ｒ〜ステップＳ１０９Ｒで実施した処理と同様の処理を実施する。
【０１１７】
以上の第４実施形態の画像形成装置の制御方法によれば、記録媒体Ｓｔ-1，Ｓｔ-2を頁順に積層した各部が、さらに部毎に積層された印刷物を出力することができる。また、画像に対して一致した方向に配置された断裁辺Ｅを同一方向に向けた状態で記録媒体Ｓｔ-1，Ｓｔ-2を出力することが可能であり、オフライン作業によって、断裁辺Ｅの向きを調整する必要がない。
【０１１８】
なお、以上の第４実施形態での記載は省略したが、図６に示したステップＳ５の前または後に、画像形成ジョブの設定が、ランドスケープ印刷物であるか否かを判断するステップを追加してもよい。この場合、入出力制御部１０３ａは、ランドスケープ印刷物である（ＹＥＳ）と判断した場合には、例えば断裁面が下に設定されているか否かを判断するステップを実施する。そして、下に設定されている（ＹＥＳ）と判断された場合には、先に図５の［Ａ］列に示した基本動作２を実施し、下に設定されている（ＹＥＳ）と判断された場合には先に図５の［Ｂ］列に示した基本動作２を実施する。またこれらの基本動作２の後には、先のステップＳ１０７Ｒ〜ステップＳ１０９Ｒで実施した処理と同様の処理を実施することにより、基本動作２を繰り返し実施する構成とすればよい。
【０１１９】
＜第５実施形態＞
図９は、第５実施形態の画像形成装置の制御方法を示す工程図であって、先に説明した第４実施形態をリピート印刷に適用した場合の工程図である。この図に示す第５実施形態の画像形成装置の制御方法は、同一の画像を１枚の記録媒体Ｓｔに面付けしてリピート印刷することにより、設定された複数頁、所定部数の印刷物Ｐを得る場合の制御方法である。図９は、図３の［Ａ］列に示した基本動作１をリピート印刷に適用し、画像に対する右側辺を断裁辺とした片面印刷の印刷物Ｐを得る場合を示しており、次のように実施される。
【０１２０】
先ず、図９の［Ｎ］＝１列（１）に示すように、画像形成部１０４は、１枚目の記録媒体Ｓｔに対し、記録媒体Ｓｔの左半面に１頁目の画像を印刷する。次に、図９の［Ｎ］＝１列（２）に示すように、媒体供給部１０５は、記録媒体Ｓｔを搬送方向に裏表シート反転させる。次いで、図９の［Ｎ］＝１列（３）に示すように、画像形成部１０４は、記録媒体Ｓｔの左半面に、１頁目の画像をリピート印刷する。その後、図９の［Ｎ］＝１列（４）に示すように、断裁処理部１０６は、記録媒体Ｓｔを搬送方向の中央において２枚の記録媒体Ｓｔ-1，Ｓｔ-2に断裁する。次いで、図９の［Ｎ］＝１列（５）に示すように、反転処理部１０７は、断裁した１枚目の記録媒体Ｓｔ-1を、搬送方向に裏表シート反転させ、排出処理部１０８から排出する。続けて図９の［Ｎ］＝１列（６）に示すように、反転処理部１０７は、搬送方向の２枚目の記録媒体Ｓｔ-2を、そのまま排出処理部１０８に搬送して１枚目の記録媒体Ｓｔ-1上に排出する。
【０１２１】
これにより、１頁目の画像に対する右側辺を断裁辺Ｅとした記録媒体Ｓｔ-1，Ｓｔ-2
が、画像形成面および断裁辺Ｅを同一方向に向けた状態で重ねられた印刷物Ｐが得られる。
【０１２２】
その後、図９の［Ｎ］＝２列に上方から順に示すように、２枚目（シート［Ｎ］＝２）の記録媒体Ｓｔに対し、１枚目（シート［Ｎ］＝１）と同様の手順で処理が実施される。ただし、印刷する画像は２頁目の画像である。これにより、１頁目の画像が印刷された２枚の記録媒体Ｓｔ-1，Ｓｔ-2上に、２頁目の画像に対する右側辺を断裁辺Ｅとした記録媒体Ｓｔ-1，Ｓｔ-2が、画像形成面および断裁辺Ｅを同一方向に向けた状態で重ねられた印刷物Ｐが得られる。
【０１２３】
またさらにその後、図９の［Ｎ］＝３列に上方から順に示すように、３枚目（シート［Ｎ］＝３）の記録媒体Ｓｔに対し、１枚目（シート［Ｎ］＝１）と同様の手順で処理が実施される。ただし、印刷する画像が３頁目の画像である。これにより、１頁目の画像が印刷された２枚の記録媒体Ｓｔ-1，Ｓｔ-2と、その上に積層された２頁目の画像が印刷された２枚の記録媒体Ｓｔ-1，Ｓｔ-2と、３頁目の画像に対する右側辺を断裁辺Ｅとした記録媒体Ｓｔ-1，Ｓｔ-2と、画像形成面および断裁辺Ｅを同一方向に向けた状態で重ねられた印刷物Ｐが得られる。
【０１２４】
以上により第５実施形態の制御方法によれば、画像に対する右側辺を断裁辺Ｅとした全Ｎ頁分の記録媒体が、画像形成面および断裁辺Ｅを同一方向に向けた状態で頁順に重ねられた片面印刷の印刷物Ｐを得ることができる。このため、図９の（７）に示すように、オフライン作業によって、記録媒体の各頁を部毎に分配する際には、画像形成面および断裁辺Ｅの向きを調整する必要がなく、分配作業が容易である。
【０１２５】
なお、本第５実施形態は、図３の［Ｂ］列に示した基本動作１、図４に示した基本動作２、および図５に示した基本動作３を、同様に適用可能である。
【０１２６】
＜第６実施形態＞
図１０は、第６実施形態の画像形成装置の制御方法を示す工程図であって、先に説明した第５実施形態の変形例を示す図である。この図１０に示す制御方法が、図９を用いて説明した第５実施形態の制御方法と異なるところは、断裁処理部１０６が断裁した記録媒体Ｓｔ-1，Ｓｔ-2を、排出処理部１０８が異なるトレーに分配して排出するところにあり、それ以前の手順は第５実施形態の制御方法と同様である。
【０１２７】
すなわち第６実施形態の画像形成装置の制御方法は、先ず図１０の［Ｎ］＝１列（１）〜（４）に示すように、１枚目（シート［Ｎ］＝１）の記録媒体Ｓｔに対し、画像を印刷して２枚の記録媒体Ｓｔ-1，Ｓｔ-2に断裁するまでは、第５実施形態と同様に実施する。
【０１２８】
その後、図１０の［Ｎ］＝１列（５）に示すように、反転処理部１０７は、断裁した１枚目の記録媒体Ｓｔ-1を、搬送方向に裏表シート反転させて排出処理部１０８に搬送する。排出処理部１０８は、反転処理部１０７から搬送された１枚目の記録媒体Ｓｔ-1を、第１トレー２００ａに排出する。続いて、図１０の［Ｎ］＝１列（６）に示すように、反転処理部１０７は、２枚目の記録媒体Ｓｔ-2を、そのまま排出処理部１０８に搬送する。排出処理部１０８は、反転処理部１０７から搬送された２枚目の記録媒体Ｓｔ-1を、第２トレー２００ｂに排出する。
【０１２９】
次に、図１０の［Ｎ］＝２列に上方から順に示すように、２枚目（シート［Ｎ］＝２）の記録媒体Ｓｔも同様の手順で処理を実施し、断裁した記録媒体Ｓｔ-1，Ｓｔ-2を、第１トレー２００ａと第２トレー２００ｂとに分配して排出する。またその後、図１０の［Ｎ］＝３列に上方から順に示すように、３枚目（シート［Ｎ］＝３）の記録媒体Ｓｔも同様の手順で処理を実施し、断裁した記録媒体Ｓｔ-1，Ｓｔ-2を、第１トレー２００ａと第２トレー２００ｂとに分配して排出する。
【０１３０】
以上により第６実施形態の制御方法によれば、画像に対する右側辺を断裁辺Ｅとした複数頁分の記録媒体が、画像形成面および断裁辺Ｅを同一方向に向けた状態で頁順に重ねられた、片面印刷の印刷物Ｐを得ることができる。しかも、この印刷物Ｐは、部毎に第１トレー２００ａと第２トレー２００ｂとに分配して出力されるため、オフライン作業によって、記録媒体の各頁を部毎に分配する必要もない。
【０１３１】
なお、本第６実施形態は、図３［Ｂ］列に示した基本動作１、図４に示した基本動作２、および図５に示した基本動作３を、同様に適用可能である。また本第６実施形態は、さらに３部以上の印刷物を得る場合、記録媒体を分配して排出するトレーを増加するか、または第１頁から最終頁の印刷を繰り返し実施すればよい。
【０１３２】
＜第７実施形態＞
図１１は、第７実施形態の画像形成装置の制御方法を示すフローチャートである。また図１２は、第７実施形態の画像形成装置の制御方法を示す工程図であり、一例として全４頁の記録媒体によって１部が構成される印刷物を作成する場合を図示している。これらの図に示す制御方法は、先に説明した第４実施形態の制御方法を、他の制御方法と組み合わせて実施する場合の例である。以下、図１１のフローチャートに示す順に、図１２および先の図１，図２を参照しつつ、第７実施形態の制御方法を説明する。
【０１３３】
［ステップＳ１０］
先ずステップＳ１０において、入出力制御部１０３ａは、画像形成装置１００に対して操作部１０１または外部装置から画像形成ジョブが入力された場合に、入力された画像形成ジョブの設定の中に高速断裁処理の設定が有るか否かを判断する。高速断裁処理とは、記録媒体を断裁する設定が有り、かつ高速処理として記録媒体Ｓｔの一方の主面のみへの画像の印刷を優先する設定が有ることを意味する。なお、ここで判断する断裁の設定は、記録媒体を、例えば長手方向の中央において２つの領域に断裁する設定であることとする。
【０１３４】
入出力制御部１０３ａは、このような設定がなされた場合に、断裁設定有り（ＹＥＳ）と判断して次のステップＳ１１に進む。それ以外の場合にはステップＳ１０に戻り、高速断裁処理の設定有り（ＹＥＳ）と判断されるまで待機する。
【０１３５】
［ステップＳ１１］
ステップＳ１１において、入出力制御部１０３ａは、入力された画像形成ジョブの設定が、偶数頁に対する画像の印刷であって、かつ奇数部の作成のための印刷設定であるか否かを判断する。入出力制御部１０３ａは、画像形成ジョブの設定が、偶数頁かつ奇数部である（ＹＥＳ）と判断した場合には、ステップＳ１２に進む。なお、図１２は、画像形成ジョブの設定が、４頁、５部の印刷物を作製する設定となっている場合であって、ステップＳ１２に進んだ場合を示している。
【０１３６】
一方、入出力制御部１０３ａは、画像形成ジョブの設定が、偶数頁かつ奇数部ではない（ＮＯ）と判断した場合には、ステップＳ１１'に進む。
【０１３７】
［ステップＳ１１’］
ステップＳ１１’において、入出力制御部１０３ａは、高速断裁処理の適用は不可と判断し、先の第４実施形態で図６を用いて説明したステップＳ２以下を実施する。
【０１３８】
［ステップＳ１２］
ステップＳ１２において、画像形成データ作成部１０３ｂは、操作部１０１または外部装置から入力された画像形成ジョブの条件設定に基づいて、記録媒体を中央で断裁した２つの領域の表面および裏面に画像を面付けしてレイアウトした画像形成データを作成する。この際、画像形成データ作成部１０３ｂは、複数の記録媒体のうちの一部の記録媒体に対し、一方の主面のみに画像を面付けした画像形成データを作成する。ここで一部の記録媒体とは、最終部を構成する記録媒体以外の記録媒体である。画像形成データ作成部１０３ｂは、この一部の記録媒体に対する画像形成データとして、記録媒体の一方の主面のみに互いに１８０度回転させた同一画像を面付けした画像形成データを作成する。そして、最終部を構成する記録媒体に対する画像形成データとしては、先の基本動作に示した手順の印刷を実施するように面付けされた画像形成データを作成する。
【０１３９】
［ステップＳ１３］
ステップＳ１３おいて、入出力制御部１０３ａは、媒体供給部１０５に対して画像形成部１０４への記録媒体の供給を指示する。これにより、媒体供給部１０５は、画像形成部１０４への記録媒体の供給を開始する。
【０１４０】
［ステップＳ１４］
ステップＳ１４において、入出力制御部１０３ａは、この画像形成ジョブにおいて印刷する記録媒体のシート数［Ｎ］を［Ｎ］＝１とする処理を行ない、次のステップＳ３０１に進む。
【０１４１】
［ステップＳ３０１］
ステップＳ３０１において、入出力制御部１０３ａは、次に行う印刷の処理が、画像形成ジョブで設定された所定部数のうちの最終部の処理であるか否かを判断する。最終部である（ＹＥＳ）と判断した場合には、ステップＳ３０１’に進む。一方、最終部ではない（ＮＯ）と判断した場合には、ステップＳ３０２に進む。
【０１４２】
［ステップＳ３０２］
ステップＳ３０２において、入出力制御部１０３ａは、入力された画像形成ジョブの設定において、断裁辺が右に設定されているか否かを判断する。断裁辺が右に設定されている（ＹＥＳ）と判断した場合には、ステップＳ３０３Ｒに進む。一方、断裁辺が右に設定されていない（ＮＯ）と判断した場合には、ステップＳ３０３Ｌに進む。なお、図１２は、画像形成ジョブの設定が、画像に対する断裁辺が右側辺に設定されている場合を示している。
【０１４３】
［ステップＳ３０３Ｒ］
ステップＳ３０３Ｒにおいて、画像形成部１０４は、画像形成データ作成部１０３ｂで作成した画像形成データにしたがって、媒体供給部１０５から供給された記録媒体Ｓｔの一方の主面上に、同一の画像を２リピート右反転で印刷する。つまりここでは、同一の画像を、記録媒体Ｓｔの左半面にはそのまま印刷し、右半面には１８０度反転させて印刷するのである。
【０１４４】
［ステップＳ３０３Ｌ］
一方、ステップＳ３０３Ｌにおいて、画像形成部１０４は、画像形成データ作成部１０３ｂで作成した画像形成データにしたがって、媒体供給部１０５から供給された記録媒体Ｓｔの一方の主面上に、同一の画像を２リピート左反転で印刷する。つまりここでは、同一の画像を、記録媒体Ｓｔの左半面には１８０度反転させて印刷し、右半面にはそのまま印刷するのである。
【０１４５】
［ステップＳ３０４］
ステップＳ３０４において、断裁処理部１０６は、媒体供給部１０５によって画像形成部１０４から搬送された記録媒体Ｓｔを、搬送方向の中央において２枚の記録媒体Ｓｔ-1，Ｓｔ-2に断裁する。また断裁した記録媒体Ｓｔ-1，Ｓｔ-2を、順に反転処理部１０７に搬送する。
【０１４６】
［ステップＳ３０５］
ステップＳ３０５において、反転処理部１０７は、２枚に断裁された記録媒体Ｓｔ-1，Ｓｔ-2のうち、搬送方向の１枚目（先端側）に位置する記録媒体Ｓｔ-1を、搬送方向に裏表シート反転させて排出処理部１０８に搬送する。排出処理部１０８は、反転処理部１０７から搬送された１枚目の記録媒体Ｓｔ-1を、第１トレー２００ａに排出する。
【０１４７】
［ステップＳ３０６］
ステップＳ３０６において、反転処理部１０７は、２枚に断裁された記録媒体Ｓｔ-1，Ｓｔ-2のうち、搬送方向の２枚目（先端側）に位置する記録媒体Ｓｔ-2を、搬送方向に裏表シート反転させて排出処理部１０８に搬送する。排出処理部１０８は、反転処理部１０７から搬送された２枚目の記録媒体Ｓｔ-2を、第２トレー２００ｂに排出する。
【０１４８】
［ステップＳ３０７］
ステップＳ３０７において、入出力制御部１０３ａは、先に実施したステップＳ３０２〜ステップＳ３０６の処理が、部の最終シートに対する処理であるか否か、すなわち部の最終頁を作製するための処理であるか否かを判断する。部の最終シートである（ＹＥＳ）と判断した場合にはステップＳ３０８Ｒに進む。一方、部の最終シートではない（ＮＯ）と判断した場合にはステップＳ３０８Ｒ’に進む。
【０１４９】
［ステップＳ３０８］
ステップＳ３０８において、入出力制御部１０３ａは、シート数［Ｎ］＝１とする処理を実施し、先のステップＳ３０１に戻って以降を繰り返す。
【０１５０】
［ステップＳ３０８’］
ステップＳ３０８’において、入出力制御部１０３ａは、シート数［Ｎ］＝Ｎ＋１の処理を実施し、先のステップＳ３０１に戻り、以降を繰り返す。
【０１５１】
以上により、図１２の［Ｍ］＝１，［Ｎ］＝１列〜［Ｍ］＝１，［Ｎ］＝４列に示すように、記録媒体Ｓｔの一主面上のみに画像を印刷した処理により、画像形成面および断裁辺Ｅを同一方向に向けた状態で頁順に記録媒体Ｓｔ-1，Ｓｔ-2が重ねられた片面印刷の印刷物が、第１トレー２００ａと第２トレー２００ｂとに分配して出力される。なお、図１２において［Ｍ］＝１は部数を表している。
【０１５２】
［ステップＳ３０１’］
一方、ステップＳ３０１において、最終部である（ＹＥＳ）と判断して進んだステップＳ３０１’において、入出力制御部１０３ａは、入出力制御部１０３ａは、先の第４実施形態で図６を用いて説明したステップＳ５以下を実施する。これにより、図１２の［Ｍ］＝ｍ，［Ｎ］＝１列〜［Ｍ］＝ｍ，［Ｎ］＝２列に示すように、第４実施形態で説明した手順により、画像形成面および断裁辺Ｅを同一方向に向けた状態で頁順に記録媒体Ｓｔ-1，Ｓｔ-2が重ねられた片面印刷の印刷物が、一方のトレーに出力される。なお、図１２において［Ｍ］＝ｍは部数であって、最終部であることを表している。
【０１５３】
以上説明したように、本第７実施形態の制御方法によれば、最終部以外の処理は記録媒体Ｓｔの一方の主面側にのみに対して画像の印刷が実施されるため、記録媒体Ｓｔを反転させて裏表に画像を印刷する手間を省くことができる。このため、断裁処理を含む画像形成ジョブの実施により、画像形成面および断裁辺Ｅを同一方向に向けた状態で頁順に重ねられた片面印刷の印刷物を得る場合に、画像形成ジョブの高速化による生産性の向上を達成することが可能である。しかも、本第７実施形態の制御方法によれば、偶数頁でかつ奇数部の印刷物Ｐを作成する場合に、無駄になる記録媒体の発生を低く抑えることが可能であり、この点においても生産性の向上を図ることが可能である。
【符号の説明】
【０１５４】
１００…画像形成装置
１０１…操作部
１０３…制御部
１０３ｂ…画像形成データ作成部
１０４…画像形成部
１０６…断裁処理部
１０７…反転処理部
１０８…排出処理部
Ｅ…断裁辺
Ｓｔ…記録媒体
Ｓｔ-1，Ｓｔ-2…記録媒体（断裁後の記録媒体）
【図１】
2020049654.tif 000003
【図２】
2020049654.tif 000004
【図３】
2020049654.tif 000005
【図４】
2020049654.tif 000006
【図５】
2020049654.tif 000007
【図６】
2020049654.tif 000008
【図７】
2020049654.tif 000009
【図８】
2020049654.tif 000010
【図９】
2020049654.tif 000011
【図１０】
2020049654.tif 000012
【図１１】
2020049654.tif 000013
【図１２】
2020049654.tif 000014